(57)【要約】【課題】手動で小物品を供給する物品供給装置に関して、物品が欠乏したとき操作不能とする装置を提供する。【解決手段】ストッカーに積層された最上位の物品(bn)に載置され、物品の搬出に伴う最上位の物品の下降に追従して下降する追従体(21)と、前記追従体(21)が下降途中の始点位置(p1)から終点位置(p2)までの所定下降距離(L1)を下降したとき、起動開始位置(P1)から起動終了位置(P2)までの所定起動距離(L2)だけ移動するロック起動手段(22)と、前記ロック起動手段(22)が前記所定起動距離(L2)を移動したとき前記操作機構(7)を操作不能にロックするロック実行手段(23)を設けている。これにより、動力伝達経路の最も下流側に位置する追従体(21)の下降移動を受けて、最も上流側に位置する操作機構(7)を直接的にロックすることが可能となる。【選択図】図２
2011018259.tif 000002
【特許請求の範囲】
【請求項１】
ハウジング(2)と、ハウジングの内部で多数の物品を上下に積層するストッカー(3)と、最下位の物品をストッカーからハウジングの外部に搬出する搬出口(4)と、ストッカーの背部に位置する始動位置(S)とストッカーの底部に位置する駆動位置(T)との間を往復移動することにより最下位の物品を搬出口に向けて押し出すイジェクタ機構(5)と、前記イジェクタ機構を往復移動させる往復動機構(6)と、ハウジングの外側で手動により回転される操作機構(7)と、該操作機構の回転を受けて前記往復動機構を駆動する動力伝達機構(8)から構成され、
ストッカーに積層された最上位の物品(bn)に載置され、物品の搬出に伴う最上位の物品の下降に追従して下降する追従体(21)と、
前記追従体(21)が下降途中の始点位置(p1)から終点位置(p2)までの所定下降距離(L1)を下降したとき、起動開始位置(P1)から起動終了位置(P2)までの所定起動距離(L2)だけ移動するロック起動手段(22)と、
前記ロック起動手段(22)が前記所定起動距離(L2)を移動したとき前記操作機構(7)を操作不能にロックするロック実行手段(23)を設けて成ることを特徴とする物品供給装置。
【請求項２】
前記ロック実行手段(23)は、前記操作機構(7)と同行回転する回転体(36)と、該回転体の下方に離間する待機位置(D)から作動位置(U)まで引き上げられたとき前記回転体(36)を回転不能とするように係合する係合体(37)とから構成され、
前記ロック起動手段(22)は、追従体(21)が前記所定下降距離(L1)を下降したとき、該下降移動を受けて引っ張られることにより先端部(34)を前記所定起動距離(L2)だけ引き上げ移動される索条(28)により構成され、
前記索条(28)の先端部(34)が前記所定起動距離(L2)を引き上げ移動されたとき、前記係合体(37)を待機位置(D)から作動位置(U)まで引き上げるように構成されて成ることを特徴とする請求項１に記載の物品供給装置。
【請求項３】
前記索条(28)の先端部(34)が所定起動距離(L2)を引き上げ移動されたとき下降位置から上昇位置まで引き上げられる表示体(24)と、該表示体に対応してハウジングに設けられた表示窓(26)を設けており、
前記表示体(24)は、前記下降位置で表示窓(26)に表示させる作動可能情報(25a)と、上昇位置で表示窓(26)に表示させる作動不能情報(25b)を設けて成ることを特徴とする請求項２に記載の物品供給装置。
【請求項４】
前記追従体(21)は、ストッカー(3)の外方に突出する作動片(21a)を設け、
前記索条(28)は、固定された尾端部から前記作動片(21a)の下方でストッカー(3)の横断方向に配置された被動部(30)と、該被動部(30)から案内手段を介して上向きに案内された案内部(32)と、該案内部から前記係合体(37)に向けて下向きに案内された先端部(34)を備えて成ることを特徴とする請求項２又は３に記載の物品供給装置。
【請求項５】
前記ロック実行手段(23)を構成する前記回転体(36)は、ハウジング(2)の側壁(2b)に臨む係合面(36a)を設け、前記係合体(37)は、作動位置(U)に引き上げられたとき前記係合面(36a)と側壁(2b)の間に介入する直方体形状に形成されており、
操作機構(7)の回転方向の遊びを介して回転体(36)を回動したとき、前記係合面(36a)が係合体(37)を側壁(2b)に向けて押し付けるように構成して成ることを特徴とする請求項２、３又は４に記載の物品供給装置。
【発明の詳細な説明】
【技術分野】
【０００１】
本発明は、小物品を商品として販売する販売機等の物品供給装置に関する。
【背景技術】
【０００２】
従来、種々の小物品を商品として販売する販売機が知られている。このような販売機は、電動式のものが主流を占めるが、電源等による設置場所に制限のない手動機械式のものが好ましい。
【０００３】
手動機械式の販売機は、ハウジングと、ハウジングの内部で多数の物品を上下に積層するストッカーと、最下位の物品をストッカーからハウジングの外部に搬出する搬出口と、ストッカーの背部に位置する始動位置とストッカーの底部に位置する駆動位置との間を往復移動することにより最下位の物品を搬出口から押し出すイジェクタ機構と、前記イジェクタ機構を往復動させる往復動機構と、ハウジングの外側で手動により回転される操作機構と、該操作機構の回転を受けて前記往復動機構を駆動する動力伝達機構を備えている。
【０００４】
操作機構は、例えば、一方向にのみ回転自在な摘み部材を備えており、ハウジングの外側に設けたスリットにコインを投入したとき、該摘み部材を始点から終点まで所定回転角度で１回だけ回転可能とする操作許可機構を設けている。換言すれば、操作許可機構は、コインを投入しない限り摘み部材を回転不能に保持する。
【０００５】
そこで、物品購入を目的とする顧客は、スリットにコインを投入した後、手動により摘み部材を始点から終点まで回転する。手動で回転された操作機構の動力は、動力伝達機構を介して往復動機構を駆動し、イジェクタ機構を始動位置から駆動位置に向けて往動することにより、積層された物品のうち最下位の物品を搬出口に押し出す。この１回の動作が終わると、摘み部材は回転不能に保持される。
【０００６】
ところで、従来の販売機は、売り切れ等によりストッカーの物品が欠乏した場合でも、スリットにコインを投入すると操作許可機構が働くので、摘み部材を回転することができる。しかしながら、物品が欠乏しているので、イジェクタ機構は空回りする。このため、物品の欠乏状態を知らない顧客は、コインを投入して摘み部材を回転しても物品が搬出口から供給されないことに怒りを感じ、物品供給者との間でトラブルの原因となる。
【０００７】
そこで、物品の搬出に伴う最上位の物品の下降に追従して下降する追従体を設け、該追従体によりロック機構を構成した物品供給装置が提案されている。前記追従体は、錘により構成され、最上位の物品に載置されており、イジェクタ機構が最上位の物品を搬出口から押し出したとき、前記ロック機構が追従体とイジェクタ機構を相互に係止させ、イジェクタ機構を移動不能にロックする。従って、このロック状態において、顧客が摘み部材を回転しようとしても、回転されることはない。
【先行技術文献】
【特許文献】
【０００８】
【特許文献１】特開２００８−１５２７２４号公報
【特許文献２】特開２００３−２９６８０６号公報
【発明の概要】
【発明が解決しようとする課題】
【０００９】
上述した従来技術は、物品供給装置に設けたロック機構がイジェクタ機構を移動不能にロックし、それにより操作機構の摘み部材を回転不能とするので、顧客がコインを投入しても摘み部材が空回りするというトラブルを発生することはない。
【００１０】
しかしながら、従来技術のロック機構は、追従体とイジェクタ機構を相互に係止させることにより操作機構を間接的にロックする構成であるから、顧客が操作機構の摘み部材を強く無理矢理に回転しようとすると、操作機構とイジェクタ機構の間に設けられた動力伝達機構及び往復動機構に過大な負荷がかかり、故障の原因となる。つまり、動力の伝達経路は、最上流側に位置する操作機構から動力伝達機構及び往復動機構を経て最下流側のイジェクタ機構に至るように構成されており、前記ロック機構は、最下流側のイジェクタ機構をロックするものであるから、操作機構に強大な回転力が与えられると、該操作機構自体にねじれ応力を生じるだけでなく、動力伝達機構及び往復動機構にも、例えば、回転軸に過大なトルクを受けてねじれ応力を生じ、往復動機構のリンク等に歪み応力を生じる等により、破損するおそれがある。
【課題を解決するための手段】
【００１１】
本発明は、上記課題を解決した物品供給装置を提供するものであり、ストッカーの物品が欠乏したとき、動力伝達経路の最上流側に位置する操作機構を直接的に回転不能にロックするように構成し、これにより、顧客が操作機構を無理に回転しようとしても、該操作機構それ自体の回転が阻止され、下流側の動力伝達機構及び往復動機構に負荷を作用しないように構成した点に特徴がある。
【００１２】
そこで、本発明が手段として構成したところは、ハウジング(2)と、ハウジングの内部で多数の物品を上下に積層するストッカー(3)と、最下位の物品をストッカーからハウジングの外部に搬出する搬出口(4)と、ストッカーの背部に位置する始動位置(S)とストッカーの底部に位置する駆動位置(T)との間を往復移動することにより最下位の物品を搬出口に向けて押し出すイジェクタ機構(5)と、前記イジェクタ機構を往復移動させる往復動機構(6)と、ハウジングの外側で手動により回転される操作機構(7)と、該操作機構の回転を受けて前記往復動機構を駆動する動力伝達機構(8)から構成され、ストッカーに積層された最上位の物品(bn)に載置され、物品の搬出に伴う最上位の物品の下降に追従して下降する追従体(21)と、前記追従体(21)が下降途中の始点位置(p1)から終点位置(p2)までの所定下降距離(L1)を下降したとき、起動開始位置(P1)から起動終了位置(P2)までの所定起動距離(L2)だけ移動するロック起動手段(22)と、前記ロック起動手段(22)が前記所定起動距離(L2)を移動したとき前記操作機構(7)を操作不能にロックするロック実行手段(23)を設けて成る点にある。
【００１３】
本発明の実施形態において、前記ロック実行手段(23)は、前記操作機構(7)と同行回転する回転体(36)と、該回転体の下方に離間する待機位置(D)から作動位置(U)まで引き上げられたとき前記回転体(36)を回転不能とするように係合する係合体(37)とから構成され、前記ロック起動手段(22)は、追従体(21)が前記所定下降距離(L1)を下降したとき、該下降移動を受けて引っ張られることにより先端部(34)を前記所定起動距離(L2)だけ引き上げ移動される索条(28)により構成され、前記索条(28)の先端部(34)が前記所定起動距離(L2)を引き上げ移動されたとき、前記係合体(37)を待機位置(D)から作動位置(U)まで引き上げるように構成されている。
【００１４】
本発明の好ましい実施形態は、前記索条(28)の先端部(34)が所定起動距離(L2)を引き上げ移動されたとき下降位置から上昇位置まで引き上げられる表示体(24)と、該表示体に対応してハウジングに設けられた表示窓(26)を設けており、前記表示体(24)は、前記下降位置で表示窓(26)に表示させる作動可能情報(25a)と、上昇位置で表示窓(26)に表示させる作動不能情報(25b)を設けている。
【００１５】
本発明の実施容易な具体例において、前記追従体(21)は、ストッカー(3)の外方に突出する作動片(21a)を設け、前記索条(28)は、固定された尾端部から前記作動片(21a)の下方でストッカー(3)の横断方向に配置された被動部(30)と、該被動部(30)から案内手段を介して上向きに案内された案内部(32)と、該案内部から前記係合体(37)に向けて下向きに案内された先端部(34)を備えている。
【００１６】
更に本発明の好ましい実施形態において、前記ロック実行手段(23)を構成する前記回転体(36)は、ハウジング(2)の側壁(2b)に臨む係合面(36a)を設け、前記係合体(37)は、作動位置(U)に引き上げられたとき前記係合面(36a)と側壁(2b)の間に介入する直方体形状に形成されており、操作機構(7)の回転方向の遊びを介して回転体(36)を回動したとき、前記係合面(36a)が係合体(37)を側壁(2b)に向けて押し付けるように構成されている。
【発明の効果】
【００１７】
本発明によれば、ストッカー３の物品が欠乏したとき、動力伝達経路の最上流側に位置する操作機構７を直接的に回転不能にロックし、顧客が操作機構７を無理に回転しようとしても、該操作機構７それ自体の回転を阻止するように構成しているので、下流側の動力伝達機構８及び往復動機構６に負荷を作用させないように保護することができ、破損等による故障のおそれがないという効果がある。
【００１８】
そして、請求項２及び請求項４に記載の本発明によれば、ストッカー３に設けられた追従体２１と、操作機構７に設けられたロック実行手段２３が離間して配置されている場合でも、ロック起動手段２２を索条２８で構成し、追従体２１が所定下降距離Ｌ１を下降したときに索条２８を所定起動距離Ｌ２だけ移動させ、これにより係合体３７を待機位置Ｄから作動位置Ｕまで引き上げることができるので、構造が簡単であり、本発明を低コストにて容易に実現できるという利点がある。
【００１９】
また、請求項３に記載の本発明によれば、索条２８により構成されたロック起動手段２２を利用して、表示窓２６に作動可能情報２５ａと作動不能情報２５ｂを表示させることが可能となり、顧客に親切な物品供給装置を提供できる。
【００２０】
更に、請求項４に記載の本発明によれば、係合体３７を作動位置Ｕに引き上げたロック状態で、遊びを介して回動される回転体３６の係合面３６ａにより、係合体３７を側壁２ｂに押し付け、回転体３６の回転力を索条２８の先端部３４を引き下げる方向に作用させないように構成しているので、回転不能状態としたロック機能が高いという効果がある。
【図面の簡単な説明】
【００２１】
【図１】本発明の１実施形態の外観を示す斜視図である。
【図２】本発明の１実施形態の内部構造を分解して示す斜視図である。
【図３】本発明の１実施形態におけるイジェクタ機構と往復動機構を示す斜視図である。
【図４】イジェクタ機構の作用を示しており、第一物品積層体の物品を搬出する際に、スライダーが始動位置に移動した状態を示す断面図である。
【図５】イジェクタ機構の作用を示しており、第一物品積層体の物品を搬出する際に、スライダーが始動位置から駆動位置に移動中の状態を示す断面図である。
【図６】イジェクタ機構の作用を示しており、第一物品積層体の物品を搬出する際に、スライダーが駆動位置に移動した状態を示す断面図である。
【図７】イジェクタ機構の作用を示しており、第二物品積層体の物品を搬出する際に、スライダーが始動位置に移動した状態を示す断面図である。
【図８】イジェクタ機構の作用を示しており、第二物品積層体の物品を搬出する際に、スライダーが駆動位置に移動し、最上位の物品を押し出した状態を示す断面図である。
【図９】係合体が待機位置に待機することにより操作機構を回転可能とした状態を示しており、（Ａ）は操作機構と表示体を示す正面図、（Ｂ）は操作機構と係合体の関係を示す断面図である。
【図１０】係合体が作動位置に引き上げられることにより操作機構を回転不能にロックした状態を示しており、（Ａ）は操作機構と表示体を示す正面図、（Ｂ）は操作機構と係合体の関係を示す断面図である。
【図１１】索条により係合体及び表示体を引き上げ可能とする別の実施例を示す正面図である。
【発明を実施するための形態】
【００２２】
以下図面に基づいて本発明の好ましい実施形態を詳述する。
【００２３】
図１ないし図３に示すように、物品供給装置１は、ハウジング２と、該ハウジング２の内部で多数の物品を上下に積層するストッカー３と、最下位の物品をストッカー３からハウジング２の外部に搬出する搬出口４と、ストッカー３の背部に位置する始動位置Ｓ（図４）とストッカー３の底部に位置する駆動位置Ｔ（図６）との間を移動することにより最下位の物品を搬出口４から押し出すイジェクタ機構５と、該イジェクタ機構５を往復移動させる往復動機構６と、ハウジング２の正面壁２ａの外側で手動回転される操作機構７と、該操作機構６の回転を受けて前記往復動機構６を駆動する動力伝達機構８から構成されている。
【００２４】
図示のように、ストッカー３は、好ましくは複数列、図例の場合は３列のストッカー３Ａ、３Ｂ、３Ｃが並設されており、各列のストッカー３に対応してイジェクタ機構５と往復動機構６が個別に設けられている。各列のストッカー３は、図５に示すように、下から順にｎ個の物品ａ１、ａ２・・・ａｎを積層した第一物品積層体Ａを収納する背面側の第一塔部３ａと、下から順にｎ個の物品ｂｓ、ｂ１、ｂ２・・・ｂｎを積層した第二物品積層体Ｂを収納する正面側の第二塔部３ｂを構成しており、第一塔部３ａ及び第二塔部３ｂは、それぞれに収納された最下位の物品を押し出し方向に移動可能とするように開放されているが、上位の物品を移動不能に保持する保持壁３ｗを備えている。
【００２５】
第一物品積層体Ａ及び第二物品積層体Ｂは、それぞれの最下位の物品をストッカー３の底部両側に位置して設けたレール９により支持され、該レール９は、第一物品積層体Ａの最下位の物品ａ１を水平に支持する第一レール部９ａと、第二物品積層体Ｂの最下位の物品ｂｓを水平に支持する第二レール部９ｂと、第一レール部９ａから第二レール部９ｂに向けて上り勾配を有する傾斜レール部９ｃを連続的に構成している。従って、前記傾斜レール部９ｃを介して、第一レール部９ａを下位として第二レール部９ｂを上位に位置させるように配置され、第一物品積層体Ａの最下位の物品ａ１がイジェクタ機構５により押動させられると、該物品ａ１は、傾斜レール部９ｃを介して上昇しながら前進し、第二物品積層体Ｂの最下位の物品ｂｓを押し出しながら隣接する上位の物品ｂ１の下側に進入するように構成されている。
【００２６】
図３に示すように、前記３列のストッカー３Ａ、３Ｂ、３Ｃの底部に対応して３個のイジェクタ機構５ａ、５ｂ、５ｃが配置されており、各イジェクタ機構５は、各ストッカー３の下方に設けられたガイドレール（図示省略）に沿って摺動可能な案内部１０ａを備えたスライダー１０により構成され、該スライダー１０は、それぞれ起伏方向に揺動自在な第一舌片１１ａと第二舌片１１ｂを設けており、各舌片１１は、常時はスライダーの往動方向に向けて先端を起立させた傾斜姿勢を保持している。
【００２７】
前記イジェクタ機構５を往復移動させる往復動機構６は、駆動軸１２と、それぞれのイジェクタ機構５ａ、５ｂ、５ｃに対応して該駆動軸１２に設けられたクランク機構１３ａ、１３ｂ、１３ｃにより構成されており、図示実施形態の場合、駆動軸１２に対してクランク機構１３ａ、１３ｂ、１３ｃが相互に軸回り方向に１２０度の位相をずらせて設けられ、これにより、例えば、操作機構７の摘み部材１４を回転操作する１回目は、第一のイジェクタ機構５ａが始動位置Ｓから駆動位置Ｔまで往動し、２回目は、第二のイジェクタ機構５ｂが始動位置Ｓから駆動位置Ｔまで往動し、３回目は、第三のイジェクタ機構５ｃが始動位置Ｓから駆動位置Ｔまで往動するように構成している。
【００２８】
操作機構７は、図１及び図２に示すように、回転自在な摘み部材１４と、該摘み部材１４により回転させられる回転軸１５と、前記摘み部材１４の背面に位置して設けられたワンウエイ手段１６を構成しており、前記ワンウエイ手段１６は、例えば、回転軸１５と同行回転するラチェットホイールを一方向にのみ回転自在とするラチェット機構により構成されている。詳細は図示省略しているが、操作機構７は、ハウジング２の正面壁２ａに取付けられる盤状のケーシング１７を備え、該ケーシング１７の上部にコイン投入用のスリット１８を開設し、該スリット１８からケーシング１７の内部にコインが投入されたとき、摘み部材１４を始点から終点まで所定角度範囲で１回だけ回転可能とする操作許可機構を内蔵している。
【００２９】
前記操作機構７の回転を受けて前記往復動機構６を駆動する動力伝達機構８は、前記回転軸１５を含み、該回転軸１５の回転を前記往復動機構６の駆動軸１２に対して減速状態で伝達するベベルギヤ１９、２０により構成されている。図示実施形態の場合、前記操作許可機構は、操作機構７の摘み部材１４を３６０度回転可能とするように構成され、回転軸１５を３６０度回転したとき、往復動機構６の駆動軸１２を１２０度回転させ、これにより、何れか１つのストッカー３から１個の物品を搬出口４に押し出すように構成されている。しかしながら、このような構成に限定されるものではなく、操作許可機構により摘み部材１４を所定角度範囲（例えば１８０度）だけ回転可能となるように構成し、回転軸１５が所定角度だけ回転したとき、１つ又はそれ以上のストッカー３から物品を搬出させるように減速比を設定しても良い。
【００３０】
図２に示すように、それぞれのストッカー３Ａ、３Ｂ、３Ｃに収納された第二物品積層体Ｂの最上位の物品には、錘により形成された追従体２１が載置され、該追従体２１の下方に位置してロック起動手段２２が設けられており、操作機構７には、前記ロック起動手段２２により作動させられるロック実行手段２３が設けられている。更に、前記操作機構７の近傍に表示体２４が設けられ、該表示体２４に表示された表示情報２５を外部から視認可能とする表示窓２６がハウジングの正面壁２ａに設けられている。
【００３１】
前記追従体２１は、ストッカー３の正面側の上下方向に延びる幅狭状の開口部２７から突出する作動片２１ａを設けており、前記ロック起動手段２２は、前記作動片２１ａの直下に位置して前記開口部２７の下端近傍部を横断するように配置された索条２８により構成されている。
【００３２】
前記索条２８は、操作機構７から最も離れて位置するストッカー３Ｃの壁面に固定具２９を介して固定された尾端部から、全てのストッカー３の開口部２７を横断するように配置された被動部３０を備え、該被動部３０から案内手段３１ａ、３１ｂを介して上向きに案内された案内部３２と、該案内部３２から延長されると共に案内手段３３を介して前記ロック実行手段２３に向けて下向きに案内された先端部３４を備えている。図示実施形態の場合、前記被動部３０は、ストッカー３Ａ、３Ｂ、３Ｃの間に設けられた案内手段３５ａ、３５ｂにより移動自在とされ、３個のストッカーの開口部２７にそれぞれ対応する３個所の被動部３０ａ、３０ｂ、３０ｃを構成する。
【００３３】
前記ロック実行手段２３は、前記操作機構７の摘み部材１４に可及的近い位置で回転軸１５に同行回転するように固設された回転体３６と、該回転体３６の下方に離間する待機位置Ｄから作動位置Ｕまで引き上げられたとき前記回転体３６を回転不能とするように係合する係合体３７により構成されている。
【００３４】
前記表示体２４は、表示窓２６の内側で摺動手段３８を介して上下摺動自在に保持され、上側に例えば「販売中」又はその他の文字等から成る作動可能情報２５ａを設けると共に、下側に例えば「売切れ」又はその他の文字等から成る作動不能情報２５ｂを設けており、表示体２４が下降位置にあるときは、前記作動可能情報２５ａを表示窓２６に表示させ、表示体２４が上昇位置にあるときは、前記作動不能情報２５ｂを表示窓２６に表示させるように構成されている。
【００３５】
前記係合体３７及び表示体２４は、ロック起動手段２２を構成する索条２８の先端部３４に連結され、索条２８が引っ張られることにより、案内部３２が起動開始位置Ｐ１から起動終了位置Ｐ２までの所定起動距離Ｌ２を引き下げ移動され、これに応じて先端部３を前記所定起動距離Ｌ２だけ引き上げ移動されたとき、前記係合体３７が待機位置Ｄから作動位置Ｕまで引き上げられ、表示体２４が装置作動可能情報２５ａを表示窓２６に表示させた下降位置から装置作動不能情報２５ｂを表示窓２６に表示させる上昇位置まで引き上げられるように構成している。図例の場合、表示体２４の上部に設けたフック等の連結片３９を索条２８の先端部３４に連結し、表示体２４から垂設した連結部材４０に係合体３７を取付けているが、このような具体的な構成に限定されるものではない。
【００３６】
上述のように、顧客がケーシング１７のスリット１８にコインを投入すると、摘み部材１４を所定回転角度範囲で１回だけ回転することが可能である。そこで、摘み部材１４を回転すると、動力伝達機構８及び往復動機構６を介して、何れかのイジェクタ機構５が始動位置Ｓから駆動位置Ｔまで移動し、対応するストッカー３の最下位の物品を搬出口４に向けて押し出す。
【００３７】
図４ないし図６に示すように、ストッカー３の第一塔部３ａに第一物品積層体Ａが収納され、第二塔部３ｂに第二物品積層体Ｂが収納された状態においては、イジェクタ機構５の第二舌片１１ｂが物品ａ１により押し下げられているので、図４に示す始動位置Ｓからイジェクタ機構５が往動すると、第一舌片１１ａにより第一物品積層体Ａの最下位に位置する物品ａ１を押しながら移動させ、図５及び図６に示すように、該物品ａ１を介して第二物品積層体Ｂの最下位の物品ｂｓを搬出口４に向けて押し出す。尚、イジェクタ機構５は後に復動させられるが、第二舌片１１ｂが物品ａ１により押し下げられ、第一舌片１１ａが物品ａ２により押し下げられた状態で復動する。従って、コインの投入と摘み部材１４の回転操作を繰り返すことにより、イジェクタ機構５が同様の動作を繰り返して物品を搬出し、図７に示すように、第一物品積層体Ａの物品が欠乏する。
【００３８】
第一物品積層体Ａの物品が欠乏すると、イジェクタ機構５の第二舌片１１ｂが起立姿勢となるので、この状態からイジェクタ機構５が往動する毎に、第二物品積層体Ｂの物品が最下位の物品から１個宛、搬出口４に向けて押し出される。
【００３９】
上述のように、第二物品積層体Ｂの最上位の物品ｂｎには追従体２１が載置されており、物品の搬出に伴う最上位の物品ｂｎの下降に追従して追従体２１も下降するので、始点位置ｐ１まで下降したとき、追従体２１の作動片２８が索条２８の被動部３０に係合する。そして、図８に示すように、最後の物品となる最上位の物品ｂｎが第二塔部３ｂから押し出されると、追従体２１は第二レール部９ｂにより終点位置ｐ２で停止し、前記始点位置ｐ１から終点位置ｐ２までの所定下降距離Ｌ１だけ索条２８の被動部３０を押し下げる。
【００４０】
索条２８の被動部３０が前記始点位置ｐ１から終点位置ｐ２までの所定下降距離Ｌ１だけ押し下げられると、索条２８の案内部３２は、図９に示す起動開始位置Ｐ１から図１０に示す起動終了位置Ｐ２までの所定起動距離Ｌ２だけ引き下げられ、同様に索条２８の先端部３４が引き上げられる。尚、図示実施形態の場合、索条２８の被動部３０は、追従体２１の作動片２８により、ほぼＶ形に折曲されながら押し下げられるので、所定起動距離Ｌ２は、所定下降距離Ｌ１の約２倍となるが、これに限定されるものではなく、例えば、案内部３２にテンショナー等を設けることにより、所定下降距離Ｌ１と所定起動距離Ｌ２の比率を任意に設定することが可能である。
【００４１】
図９に示すように、追従体２１が前記始点位置ｐ１まで下降する前の状態、又は前記始点位置ｐ１に下降しても該位置を越えて前記終点位置ｐ２に達する前の状態では、係合体３７が未だ回転体３６に係合する作動位置Ｕまで引き上げられておらず、従って、操作機構７の摘み部材１４を回転することが可能である。また、表示体２４は、作動不能情報２５ｂを表示窓２６に表示させる上昇位置まで引き上げられておらず、作動可能情報２５ａを表示窓２６に表示させ、又は、作動可能情報２５ａと作動不能情報２５ｂの中間部を表示窓２６に表示させている。
【００４２】
これに対して、図１０に示すように、追従体２１が前記終点位置ｐ２に下降し、索条２８が起動終了位置Ｐ２まで引っ張られたときは、係合体３７が回転体３６に係合する作動位置Ｕまで引き上げられ、操作機構７を回転不能にロックする。図示実施形態の場合、操作機構７がスリット１８にコインを投入すると回転を開始する位置で待機している状態で、回転体３６は、先端の係合面３６ａをハウジング２の側壁２ｂに向けて臨ませるように配置されており、作動位置Ｕに引き上げられたほぼ直方体形状の係合体３７が該係合面３６ａと側壁２ｂの間に介入させられる。
【００４３】
従って、摘み部材１４を操作方向Ｒに回転しようとすると、図１０（Ｂ）に示すように、前記係合面３６ａが係合体３７に係合し、摘み部材１４の回転軸１５の回転を阻止する。この際、摘み部材１４と回転軸１５は、回転方向に若干の遊びがあるので、僅かに回動可能であるが、これに同行する回転体３６の回転力は、係合面３６ａが係合体３７を側壁２ｂに押し付ける方向に作用し、索条２８の先端部３４を引き下げる方向には作用しない。そして、このように動力伝達経路の最上流側に位置する操作機構７の摘み部材１４に近接した位置で、回転軸１５を回転不能にロックするので、回転体３６とベベルギヤ１９の間に位置する回転軸１５の中間軸部にトルクを生じさせることはなく、動力伝達機構８及び往復動機構６に負荷が与えられることはない。
【００４４】
そして、このように摘み部材１４を回転不能にロックした状態で、表示体２４が所定の上昇位置まで引き上げられ、「売切れ」等の装置作動不能情報２５ｂを表示窓２６に表示する。これにより、顧客に対して摘み部材１４が回動不能とされている理由を知らせることができる。
【００４５】
複数列のストッカー３Ａ、３Ｂ、３Ｃを設けた図示実施形態の場合、何れかのストッカー３における第二塔部３ｂの第二物品積層体Ｂが最初に欠乏すると、他のストッカーに物品が残存している場合でも、索条２８が前記所定起動距離Ｌ２を移動することにより係合体３７を作動位置Ｕまで引き上げ、摘み部材１４を回動不能にロックするように構成されている。従って、例えば、本来は全てのストッカー３Ａ、３Ｂ、３Ｃに同数の物品を収納すべきところ、管理者又は作業者が怠ることにより、ストッカーの間で物品数に多寡が生じている場合でも、最初のストッカーが物品を欠乏した時点で、直ちに摘み部材１４を回動不能にロックするので、コインを投入して摘み部材１４を回転したにもかかわらず物品が供給されないというような不測の事態の発生を防止できる。
【００４６】
しかしながら、全てのストッカー３Ａ、３Ｂ、３Ｃに同数の物品を収納することが約束される場合は、索条２８の長さを調節することにより、全てのストッカー３Ａ、３Ｂ、３Ｃにおける追従体２１が所定下降距離Ｌ１を下降したとき、係合体３７を作動位置Ｕまで引き上げ、表示体２４を所定上昇位置まで引き上げるように構成しても良い。このような作用は、係合体３７の待機位置Ｄから作動位置Ｕまでの引き上げ距離を、索条２８の所定起動距離Ｌ２に追従体２１の個数を乗じた距離（図例の場合、３倍の距離）と等しくなるように調節することにより可能となる。
【００４７】
本発明が上記実施形態に限定されないことは勿論であり、適宜、設計変更等を加えることが可能である。図１１は、本発明の別の実施形態を示しており、係合体３７及び表示体２４は、索条２８の延長部３４ａ、３４ｂにより引き上げられるように構成されている。また、操作機構７は、操作許可機構により回転を許された１回の回転可能角度範囲を１８０度としており、これに応じて回転体３６の直径方向に位置して一対の係合面３６ａ、３６ａを設けている。
【符号の説明】
【００４８】
２  ハウジング
２ａ  正面壁
２ｂ  側壁
３  ストッカー
４  搬出口
５  イジェクタ機構
６  往復動機構
７  操作機構
８  動力伝達機構
１０  スライダー
１２  駆動軸
１３  クランク機構
１４  摘み部材
１５  回転軸
１６  ワンウエイ手段
１９、２０  ベベルギヤ
２１  追従体
２１ａ  作動片
２２  ロック起動手段
２３  ロック実行手段
２４  表示体
２５ａ  作動可能情報
２５ｂ  作動不能情報
２６  表示窓
２８  索条
３０  被動部
３２  案内部
３４  先端部
３６  回転体
３６ａ  係合面
３７  係合体
【図１】
2011018259.tif 000003
【図２】
2011018259.tif 000004
【図３】
2011018259.tif 000005
【図４】
2011018259.tif 000006
【図５】
2011018259.tif 000007
【図６】
2011018259.tif 000008
【図７】
2011018259.tif 000009
【図８】
2011018259.tif 000010
【図９】
2011018259.tif 000011
【図１０】
2011018259.tif 000012
【図１１】
2011018259.tif 000013